(57)【要約】【課題】部品点数を増加させることなく、コネクタの操作力のピーク値を低減させる。【解決手段】インナハウジング１２とその外周に配されたアウタハウジング３０とを有する第１コネクタ１０と、第１コネクタ１０が嵌合および離脱可能とされる第２コネクタ５０と、が具備され、第２コネクタ５０には、インナハウジング１２に係止して嵌合状態にロックする弾性変位可能な係止アーム８１と、係止アーム８１を係止解除方向に弾性変位させるべく係止アーム８１に形成された操作部８３と、が設けられているとともに、アウタハウジング３０には、第２コネクタ５０に弾性的に係止して嵌合状態にロックするロックアーム７１と、アウタハウジング３０が第２コネクタ５０と嵌合した状態では、係止アーム８１と係合して係止アーム８１が変位することを阻止し、第２コネクタ５０から所定量離脱した状態では係止アーム８１との係合が解除される規制部９０と、が設けられている。【選択図】図６
2017220297.tif 000002
【特許請求の範囲】
【請求項１】
インナハウジングと前記インナハウジングの外周に配されたアウタハウジングとを有する第１コネクタと、前記第１コネクタが嵌合および離脱可能とされる第２コネクタと、が具備され、
前記第２コネクタには、
前記第１コネクタの前記インナハウジングに係止して嵌合状態にロックする弾性変位可能な係止アームと、
前記係止アームを係止解除方向に弾性変位させるべく前記係止アームに形成された操作部と、が設けられているとともに、
前記第１コネクタの前記アウタハウジングには、
前記第２コネクタに弾性的に係止して嵌合状態にロックするロックアームと、  
前記アウタハウジングが前記第２コネクタと嵌合した状態では、前記係止アームと係合して前記係止アームが変位することを阻止し、前記第２コネクタから所定量離脱した状態では前記係止アームとの係合が解除される規制部と、が設けられたコネクタ。
【請求項２】
前記係止アームは、前記インナハウジングに係止する係止部を一端に、前記操作部を他端に設けてシーソー状に弾性変位可能な構造であって、一対の前記係止アームが、所定間隔を開けて互いに対向した形態で配されているとともに、
前記規制部は、前記一対の係止アームの一端側の間に進退可能に挿入される構造である請求項１に記載のコネクタ。
【請求項３】
前記第１コネクタの前記インナハウジングと前記第２コネクタとの間には、前記インナハウジングと前記第２コネクタとの嵌合と離脱に伴い接続または切断される強電回路が構成されているとともに、
前記第１コネクタの前記アウタハウジングと前記第２コネクタとの間には、前記アウタハウジングと前記第２コネクタとの嵌合と離脱に伴い閉鎖または開放されるインターロック回路が構成されている請求項１または請求項２に記載のコネクタ。
【発明の詳細な説明】
【技術分野】
【０００１】
本明細書によって開示される技術は、コネクタに関する。
【背景技術】
【０００２】
従来、低操作力を意図したコネクタの一例として、例えば特表２０１５−５０１０７４号公報（下記特許文献１）に記載の電気コネクタアセンブリが知られている。この電気コネクタアセンブリは、ガイドピンを有する第１コネクタと、ガイドピンと係合可能なカムギアを有する第２コネクタとを備え、第２コネクタには、カムギアを回転させるスライダが設けられている。スライダを移動させると、スライダのラック歯が歯の噛み合いを介してカムギアを回転させる。カムギアが回転すると、ガイドピンがガイド溝に沿って移動し、第１コネクタが第２コネクタに向かって最終嵌合位置へ移動するようになっている。
【先行技術文献】
【特許文献】
【０００３】
【特許文献１】特表２０１５−５０１０７４号公報
【発明の概要】
【発明が解決しようとする課題】
【０００４】
上記の電気コネクタアセンブリでは、カムギアやスライダなどの倍力機構を用いることで、第１コネクタと第２コネクタの嵌合および離脱に必要とされる操作力の低減を図っているのであるが、部品点数が多く、かつ構造も複雑化する嫌いがあって、製造コストの上昇が懸念されるため、新たな手段の出現が切望されていた。
本明細書によって開示される技術は、上記のような事情に基づいて完成されたものである。
【課題を解決するための手段】
【０００５】
本明細書によって開示されるコネクタは、インナハウジングと前記インナハウジングの外周に配されたアウタハウジングとを有する第１コネクタと、前記第１コネクタが嵌合および離脱可能とされる第２コネクタと、が具備され、前記第２コネクタには、前記第１コネクタの前記インナハウジングに係止して嵌合状態にロックする弾性変位可能な係止アームと、前記係止アームを係止解除方向に弾性変位させるべく前記係止アームに形成された操作部と、が設けられているとともに、前記第１コネクタの前記アウタハウジングには、前記第２コネクタに弾性的に係止して嵌合状態にロックするロックアームと、前記アウタハウジングが前記第２コネクタと嵌合した状態では、前記係止アームと係合して前記係止アームが変位することを阻止し、前記第２コネクタから所定量離脱した状態では前記係止アームとの係合が解除される規制部と、が設けられた構成である。
【０００６】
嵌合状態にある第１コネクタを第２コネクタから離脱させる場合には、ロックアームの係止を解除して第１コネクタを離脱操作する。このとき、アウタハウジングに設けられた規制部が係止アームと係合して係止解除方向の変位を阻止し、すなわちインナハウジングが第２コネクタと嵌合した状態にロックされているから、初めはアウタハウジングのみが離脱される。アウタハウジングが所定量離脱されたら、規制部が後退して係止アームとの係合が解除される。そののち、操作部への操作によって係止アームを係止解除方向に変位させると、インナハウジングの嵌合状態のロックが解除されるから、インナハウジングが離脱可能となる。
要するところ、第１コネクタのアウタハウジングを第２コネクタから離脱させる動作と、同インナハウジングを第２コネクタから離脱させる動作とが別々に行われる。これにより、インナハウジングとアウタハウジングとで、操作力がピークを迎えるタイミングをずらすことができ、コネクタの操作力のピーク値を低下させることができる。
【０００７】
また、以下のような構成としてもよい。
前記係止アームは、前記インナハウジングに係止する係止部を一端に、前記操作部を他端に設けてシーソー状に弾性変位可能な構造であって、一対の前記係止アームが、所定間隔を開けて互いに対向した形態で配されているとともに、前記規制部は、前記一対の係止アームの一端側の間に進退可能に挿入される構造である。
インナハウジングをロックすることに機能する係止アームを一対備えたから、強固な係止力をバランス良く得ることができる。また、一対の係止アームの係止部の間に単一の規制部を進退させて、二重ロックとロック解除を行う構造となっており、同操作を能率良く行うことができる。
【０００８】
前記第１コネクタの前記インナハウジングと前記第２コネクタとの間には、前記インナハウジングと前記第２コネクタとの嵌合と離脱に伴い接続または切断される強電回路が構成されているとともに、前記第１コネクタの前記アウタハウジングと前記第２コネクタとの間には、前記アウタハウジングと前記第２コネクタとの嵌合と離脱に伴い閉鎖または開放されるインターロック回路が構成されている。
ロックアームによるロックを解除して第１コネクタのアウタハウジングを第２コネクタから離脱させることにより、インターロック回路が開いた状態とされたのち、係止アームによるロックを解除して、第１コネクタのインナハウジングを第２コネクタから離脱することにより、強電回路が切断される。コネクタの離脱操作がいわゆる２アクションで行われ、インターロック回路が開いたのち、強電回路が切断されるまでに遅延時間が確保されるから、強電回路に残存電流が無くなった状態で強電回路を切断することができる。
【発明の効果】
【０００９】
本明細書によって開示されるコネクタによれば、部品点数を増加させることなく、コネクタの操作力のピーク値を低減させることができる。
【図面の簡単な説明】
【００１０】
【図１】本実施形態に係る正規嵌合状態のコネクタの左側面図
【図２】同右側面図
【図３】同平断面図
【図４】同縦断面図
【図５】図１のV−V線断面図
【図６】コネクタの離脱途上の平断面図（その１）
【図７】コネクタの離脱途上の縦断面図（その１）
【図８】コネクタの離脱途上の平断面図（その２）
【図９】コネクタの離脱途上の平断面図（その３）
【図１０】コネクタの離脱途上の平断面図（その４）
【図１１】コネクタの離脱途上の縦断面図（その２）
【発明を実施するための形態】
【００１１】
＜実施形態＞
実施形態を図１ないし図１１に基づいて説明する。
本実施形態では、電源に接続されたワイヤハーネスを機器に接続するためのコネクタＣを例示している。コネクタＣは、図１０及び図１１に示すように、互いに嵌合される雄コネクタ１０と雌コネクタ５０とを備えて構成されており、雄コネクタ１０が機器側に接続され、雌コネクタ５０が電源側に接続されている。したがってコネクタＣは、強電回路の一部を構成するとともに、強電回路をオン状態からオフ状態に切り替えるインターロック回路４０（図４参照）の一部を構成している。
なお以下では、雄コネクタ１０と雌コネクタ５０において、それぞれ嵌合端側を前方として説明する。
【００１２】
雌コネクタ５０は、合成樹脂製の雌ハウジング５１を有し、雌ハウジング５１には、強電回路を構成する一対の雌端子６０が収容されているとともに、インターロック回路４０を構成するショートピン６５が保持されている。
雄コネクタ１０は、同じく合成樹脂製の雄ハウジング１１を有しており、雄ハウジング１１はさらに、インナハウジング１２とその外周に配されたアウタハウジング３０とを備えている。インナハウジング１２には、強電回路を構成する一対の雄端子２０が収容されている一方、アウタハウジング３０には、インターロック回路４０を構成する一対のインターロック端子４３が収容されている。
【００１３】
両コネクタ１０，５０の構造について、図１０及び図１１によりさらに説明する。なおシールド構造については、図示するのみに留め、説明は割愛する。
まず雌コネクタ５０から説明する。雌ハウジング５１は、全体として横長の長円形断面に形成されており（図１参照）、図１０に示すように、雌ハウジング５１の左右両端部には、雌端子６０を個別に収容する一対の雌端子収容部５２が形成されているとともに、両雌端子収容部５２の間の上側領域には、図１１に示すように、ショートピン６５を装着するピン装着部６６が形成されている。
【００１４】
雌端子収容部５２は概ね円筒状をなし、前端側（図１０の右側）には、仕切壁５４の前面に収容筒５５が突出形成された二重筒部５３が形成されている。電源に接続された電線Ｗ２（芯線）の端末に接続された雌端子６０が、雌端子収容部５２に後方から挿入されたのち、仕切壁５４を貫通して収容筒５５に水密状態で抜け止めされて収容され、併せて、各電線Ｗ２の外周に嵌着されたゴム栓６１で、雌端子収容部５２の入口が水密に封止されるようになっている。各収容筒５５の外周にはシールリング６２が嵌着されている。
【００１５】
ピン装着部６６は、図１１に示すように、前方（同図の右方）に開口した有底の筒形に形成されている。ショートピン６５は、一対のピン６５Ａの基端同士を接続して短絡した形状であって、基端部を底壁６７に埋設して両ピン６５Ａを前方に突出させた姿勢で装着されている。
雌ハウジング５１の外周には、後記する雄ハウジング１１のアウタハウジング３０との間をシールするシールリング６９が嵌着されている。
【００１６】
次に雄コネクタ１０を説明する。雄ハウジング１１は、同じく全体として横長の長円形断面に形成されており（図２参照）、上記したようにインナハウジング１２とその外周に配されたアウタハウジング３０とを備えている。
インナハウジング１２の左右両端部には、雄端子２０を個別に収容する一対の雄端子収容部１３が、雌ハウジング５１の雌端子収容部５２と対向するようにして設けられている。雄端子収容部１３は概ね円筒状に形成され、長さ方向の中央の中実部１４にキャビティ１５が形成されているとともに、同キャビティ１５の前方（図１０の左方）には、雌端子収容部５２の二重筒部５３に嵌合される前面開口の嵌合筒部１６が形成されている。なお、嵌合筒部１６の後方における外周面には拡径部１７が形成されている。
【００１７】
機器に接続された電線Ｗ１（芯線）の端末に接続された雄端子２０が、雄端子収容部１３に後方（図１０の右方）から挿入されたのち、キャビティ１５内に水密状態で抜け止めされて収容され、このとき雄端子２０のタブ２０Ａが嵌合筒部１６内に突出する。併せて、各電線Ｗ１の外周に嵌着されたゴム栓２１で、雄端子収容部１３の入口が水密に封止されるようになっている。
各雄端子収容部１３の後端寄りの位置の外周には、シールリング２３が嵌着されているとともに、嵌合筒部１６の基端部の外周には、面シール２４が装着されている。
【００１８】
アウタハウジング３０は、図１０に示すように、基板３１の前面に、雄ハウジング１１の前端側に外嵌可能な長円形断面をなすフード部３２が形成されているとともに、同基板３１の後面の左右両端部に、各雄端子収容部１３に外嵌される一対の筒状嵌合部３３が形成されている。筒状嵌合部３３の前端面が、突き当て面３４とされている。
アウタハウジング３０は、上記したインナハウジング１２に対して前後方向に移動可能に装着されている。詳細にはアウタハウジング３０は、図３に示すように、筒状嵌合部３３の前端の突き当て面３４が、雌端子収容部５２における拡径部１７の後面であるストッパ面１８に当たる前方位置と、図６に示すように、筒状嵌合部３３の後端が、雄端子収容部１３の後端に嵌着されたゴム栓押さえ２６に設けられたフランジ２６Ａに当たる後方位置との間で、往復運動可能となっている。
【００１９】
このアウタハウジング３０の基板３１の前面には、図１１に示すように、機器側から引き出されたリード線４２に接続された一対のインターロック端子４３を並んで収容するインターロック端子収容部４５が設けられている。インターロック端子収容部４５は、上記した雌ハウジング５１に設けられたピン装着部６６に内嵌可能であって、その後端寄りの位置の外周にはシールリング４６が嵌着されている。
【００２０】
続いて、雄コネクタ１０と雌コネクタ５０を嵌合状態にロックするロック機構部について説明する。
ロック機構部は２箇所に設けられ、図１１に示すように、雄コネクタ１０のアウタハウジング３０と雌コネクタ５０（雌ハウジング５１）との間に第１ロック機構部７０が、雄コネクタ１０のインナハウジング１２と雌コネクタ５０（雌ハウジング５１）との間に第２ロック機構部８０が、それぞれ設けられている。
【００２１】
第１ロック機構部７０は、図１１に示すように、雄コネクタ１０のアウタハウジング３０に設けられたロックアーム７１と、雌ハウジング５１に設けられたロック突部７５とを備えて構成されている。ロック突部７５は、雌ハウジング５１の後端部の上面における左右方向の中央位置に形成されている。
ロックアーム７１は、前後方向に長い形状であって、支点部７１Ａを中心としてシーソー状に弾性変位可能となっており、アウタハウジング３０のフード部３２における上面前縁の左右方向の中央位置に設けられている。ロックアーム７１の前端には、ロック突部７５に係止する係止部７２が設けられているとともに、後端には、同ロックアーム７１を係止解除方向に弾性変位させるべく操作部７３が設けられている。
【００２２】
第２ロック機構部８０について説明する。第２ロック機構部８０は、図１０及び図１１に示すように、雌ハウジング５１に設けられた一対の係止アーム８１と、雄ハウジング１１のインナハウジング１２に設けられた一対の係止突条８５とを備えて構成されている。
係止突条８５は、インナハウジング１２に設けられた左右の雄端子収容部１３の拡径部１７における対向面の下部位置において、前後方向に延びた形態で対向して形成されている。係止突条８５の後端が切り立った係止面８６とされているとともに、係止突条８５の対向面は、前方（図１０の左方）に向けて次第に対応間隔が広がるようなテーパ状のガイド面８７とされている。
【００２３】
係止アーム８１は、前後方向に長い枠状に形成されており、支点部８１Ａを中心としてシーソー状に弾性変位可能となっている。この構造になる一対の係止アーム８１が、雌ハウジング５１に設けられた雌端子収容部５２の二重筒部５３における対向面の下部位置の前縁において、所定間隔を開けて背中合わせの姿勢で設けられている。
係止アーム８１の前端には、係止突条８５に嵌って係止面８６に係止する係止部８２が設けられている。一方、係止アーム８１の後端には、互いに接近する方向に突出した形態で操作部８３が形成されている。両係止アーム８１の操作部８３の間に治具等を挿入して拡げると、両係止アーム８１を前端側が閉じるように弾性変位させ、すなわち係止解除方向に弾性変位させることができるようになっている。
【００２４】
また、アウタハウジング３０の基板３１における中央下部位置には、自然状態にある一対の係止アーム８１の係止部８２の間に進入可能な規制板９０が突出形成されている。図３に示すように、規制板９０が一対の係止アーム８１の係止部８２の間に進入しているときには、両係止アーム８１を係止部８２側が閉じるように、すなわち係止解除方向に弾性変位することを規制するようになっている。
図６及び図１０の鎖線に示すように、アウタハウジング３０が後方位置に移動しているときには、規制板９０が、雄端子収容部１３の拡径部１７よりも後方に控える設定となっている。
【００２５】
雄コネクタ１０と雌コネクタ５０とが正規嵌合された状態の構造を、嵌合手順を含めて説明する。
雄コネクタ１０は初めは、図１０の鎖線に示すように、アウタハウジング３０が後方位置に組み付けられた状態とされる。アウタハウジング３０に設けられた規制板９０は、係止突条８５の後方に控えている。係る状態の雄コネクタ１０が、相手の雌コネクタ５０に対して嵌合される。
【００２６】
嵌合が開始されると、図１０に示すように、インナハウジング１２の両雄端子収容部１３の嵌合筒部１６が、雌ハウジング５１の両雌端子収容部５２の二重筒部５３に嵌合されるとともに、雌ハウジング５１に設けられた一対の係止アーム８１の前端が、インナハウジング１２に設けられた係止突条８５の前端の間に臨む。
【００２７】
嵌合が進むと、雄端子収容部１３の嵌合筒部１６の奥面に突出した雄端子２０のタブ２０Ａが、収容筒５５に収容された相手の雌端子６０に次第に嵌合される。それとともに、一対の係止アーム８１が、ガイド面８７に沿って係止部８２側を閉じるように弾性変位しながら両係止突条８５の間にさらに進入する。
【００２８】
図３に示すように、インナハウジング１２における両雄端子収容部１３の拡径部１７の前面が、雌ハウジング５１における雌端子収容部５２の前端面に当たったところで嵌合動作が停止され、このとき、雄端子収容部１３の嵌合筒部１６が相手の雌端子収容部５２の二重筒部５３に正規量嵌合し、対応する雄端子２０と雌端子６０とが正規に嵌合接続される。これにより強電回路が構成される。
【００２９】
一方、上記の嵌合動作が停止されたところでは、図３及び図４に示すように、一対の係止アーム８１の係止部８２が係止突条８５の係止面８６を通過することで、係止アーム８１が元姿勢に復元変位しつつ係止部８２が係止面８６に係止（一次係止）し、インナハウジング１２が抜け止めされて嵌合状態に保持される。
なおこのとき、雄端子収容部１３と雌端子収容部５２の当接面の間には、面シール２４が挟持されることでシールされる。また、雌端子収容部５２の収容筒５５の外周面と、雄端子収容部１３の嵌合筒部１６の内周面の間は、シールリング６２によってシールされる。
【００３０】
次に、雄コネクタ１０において後方位置に組み付けられていたアウタハウジング３０（図１０の鎖線参照）が、インナハウジング１２の外周に沿って前方に向けて押し込まれる。
押し込みが開始されると、アウタハウジング３０のフード部３２が雌ハウジング５１にさらに外嵌されるとともに、図１１に示すように、アウタハウジング３０に設けられたインターロック端子収容部４５が、雌ハウジング５１に設けられた相手のピン装着部６６に臨む。
さらに押し込まれると、ロックアーム７１の前端がロック突部７５に乗り上げて弾性変位しつつ、フード部３２が雌ハウジング５１に対してさらに外嵌される。それとともに、インターロック端子収容部４５がピン装着部６６内に嵌合される。
【００３１】
図３に示すように、アウタハウジング３０の内面側に形成された突き当て面３４が、インナハウジング１２の外面側に形成されたストッパ面１８に当たったところで、押し込みが停止され、このとき、図４に示すように、ロックアーム７１の係止部７２がロック突部７５を通過することで、ロックアーム７１が元姿勢に復元変位しつつ係止部７２がロック突部７５に係止し、アウタハウジング３０が雌ハウジング５１に対して抜け止めされて嵌合状態に保持される。
【００３２】
この間に、図４に示すように、アウタハウジング３０のインターロック端子収容部４５がピン装着部６６に正規量嵌合し、対をなすインターロック端子４３が、ショートピン６５の両ピン６５Ａと正規に嵌合接続され、インターロック回路４０が閉じた状態とされる。
【００３３】
併せて図３及び図４に示すように、アウタハウジング３０に突設された規制板９０が、一次係止状態にある一対の係止アーム８１の係止部８２の間に進出し、両係止アーム８１が係止部８２側が閉じる方向、すなわち係止解除方向に弾性変位することが規制される。結果、雌ハウジング５１のインナハウジング１２が雄ハウジング１１に対して二重に係止されて嵌合状態に保持される。
【００３４】
なおこのとき、インターロック端子収容部４５の外周面とピン装着部６６の内周面との間がシールリング６２によってシールされる。また、アウタハウジング３０のフード部３２の内周面と雌ハウジング５１の外周面との間がシールリング６９によってシールされるとともに、アウタハウジング３０の両筒状嵌合部３３の内周面とインナハウジング１２に設けられた雄端子収容部１３の外周面の間が、シールリング２３によってシールされる。
【００３５】
上記のように、雄コネクタ１０と雌コネクタ５０とが正規に嵌合されてロックされた状態では、図３ないし図５に示すように、一対の雄端子２０と雌端子６０同士が嵌合接続されることで強電回路が構成されるとともに、一対のインターロック端子４３がショートピン６５で短絡されることによって、インターロック回路４０が閉状態にある。
【００３６】
続いて、メンテナンス等において、嵌合状態にある雄コネクタ１０と雌コネクタ５０とを離脱操作する場合を説明する。
まず、図４に示される第１ロック機構部７０のロックを外す。詳細には、ロックアーム７１の操作部７３を押圧して同ロックアーム７１を同図の時計回り方向に揺動変位させることで、ロック突部７５に対する係止を解除し、すなわちロックを外す。
【００３７】
この状態から、雄コネクタ１０を後方（図４の右方）に引っ張ると、このときは、図３に示すように、雌ハウジング５１に設けられた一対の係止アーム８１が、インナハウジング１２の係止突条８５に係止し、かつ規制板９０で二重係止されて、インナハウジング１２が後方に移動することを阻止しているから、アウタハウジング３０のみがインナハウジング１２の外面に沿って後方に移動する。
【００３８】
アウタハウジング３０の後方への移動に伴い、アウタハウジング３０に設けられた規制板９０が、係止アーム８１の前端部の間で後方に移動し、図６に示すように、アウタハウジング３０が後方位置まで移動したところで、規制板９０が係止アーム８１の係止部８２の間から完全に抜ける。これにより、両係止アーム８１が係止解除方向に変位することを規制する機能が除去される。
この間に、図７に示すように、インターロック端子収容部４５がピン装着部６６から抜けようとすることで、一対のインターロック端子４３がショートピン６５から外れ、インターロック回路４０が開いた状態となる。
【００３９】
上記の状態から、雌ハウジング５１の雌端子収容部５２の間の空間を利用して、図６の矢線に示すように、一対の係止アーム８１の操作部８３の間に治具等を入れ、両係止アーム８１を係止部８２側が開くように弾性変位させる。これにより、図８に示すように、両係止アーム８１の係止部８２が係止突条８５の係止面８６から外れて、雌ハウジング５１によるインナハウジング１２に対する抜き方向の係止が解除され、すなわち第２ロック機構部８０のロックが外される。
【００４０】
上記のように第２ロック機構部８０のロックが外され、すなわちインナハウジング１２に対する抜け方向の係止が解除されたら、例えば、一方の手で雌ハウジング５１ともどもアウタハウジング３０を掴んだ状態から、雄コネクタ１０側の電線Ｗ１を掴んで後方に引くと、インナハウジング１２は、一対の係止アーム８１を係止突条８５のガイド面８７に沿わせるように前方に抜きつつ、アウタハウジング３０内を後方に移動する。
この間、雄端子収容部１３の嵌合筒部１６が、雌端子収容部５２の二重筒部５３から次第に離脱し、所定量離脱したところで、図９に示すように、対応する雄端子２０と雌端子６０との接続が解除される。これにより、強電回路が切断される。
【００４１】
そののち例えば、雌ハウジング５１を掴んだ状態で電線Ｗ１をさらに引っ張ると、図１０及び図１１に示すように、インナハウジング１２がアウタハウジング３０と概ね一緒に後方に移動し、ついには雄コネクタ１０が雌コネクタ５０から完全に離脱される。
【００４２】
メンテナンス終了後等に、雄コネクタ１０と雌コネクタ５０を嵌合する場合は、既述した嵌合操作に倣って行えばよい。ここで、図１０の実線に示すように、アウタハウジング３０が後方位置に到る手前側に留まり、規制板９０が両係止突条８５の間に進入した状態で、インナハウジング１２が雌ハウジング５１に嵌合されたとしても、係止アーム８１の前端が規制板９０の前縁に当たって、規制板９０をアウタハウジング３０ともども後方に押し逃がしつつインナハウジング１２が嵌合されるから、インナハウジング１２の正規嵌合、並びに第２ロック機構部８０によるロックは支障なく行われる。
【００４３】
以上のように本実施形態のコネクタＣでは、嵌合状態にある雄コネクタ１０を雌コネクタ５０から離脱させる場合には、第１ロック機構部７０のロックを解除して雄コネクタ１０を離脱操作するが、このときアウタハウジング３０に設けられた規制板９０が、一対の係止アーム８１の係止部８２の間に進入して係止解除方向の変位を阻止し、すなわちインナハウジング１２が雌コネクタ５０（雌ハウジング５１）と嵌合した状態にロックされているから、初めはアウタハウジング３０のみが離脱される。
アウタハウジング３０が所定量離脱されたら、規制板９０が後退して両係止アーム８１の係止部８２の間から抜ける。そののち、両係止アーム８１の操作部８３の間に治具等を挿入して両係止アーム８１の係止部８２が閉じるように変位させると、第２ロック機構部８０のロックが解除されるから、インナハウジング１２が離脱可能となる。
【００４４】
すなわち、雄コネクタ１０のアウタハウジング３０を雌コネクタ５０から離脱させる動作と、同インナハウジング１２を雌コネクタ５０から離脱させる動作とが別々に行われる。
なお、嵌合時においても、インナハウジング１２の嵌合動作の後に、アウタハウジング３０の嵌合動作が行われる。
その結果、インナハウジング１２とアウタハウジング３０とで、操作力がピークを迎えるタイミングをずらすことができ、コネクタＣの操作力のピーク値を低下させることができる。
【００４５】
インナハウジング１２を嵌合状態にロックする第２ロック機構部８０は、雄ハウジング１１と雌ハウジング５１の中央幅位置の絶縁用空間であるデッドスペースにおいて、一対の係止アーム８１と係止突条８５を設けることで構成されており、そのため、省スペース化を図った上で、強固な係止力を得ることができる。
また、一対の係止アーム８１の係止部８２の間に一枚の規制板９０を進退させて、二重ロックとロック解除を行う構造となっており、同操作を効率良く行うことができる。
【００４６】
本実施形態では、まず第１ロック機構部７０のロックを解除して、雄コネクタ１０のアウタハウジング３０を雌コネクタ５０（雌ハウジング５１）から離脱させることにより、インターロック回路４０が開いた状態としたのち、第２ロック機構部８０のロックを解除して、雄コネクタ１０のインナハウジング１２を雌コネクタ５０（雌ハウジング５１）から離脱することにより、雄端子２０と雌端子６０との接続を解除する、すなわち強電回路が切断されるようになっている。ここで、第２ロック機構部８０のロックを解除する場合に、一対の係止アーム８１を人手により弾性変位させるといった相応の操作時間が必要としてあるから、インターロック回路４０が開いたのち、強電回路が切断されるまでに遅延時間が確保されることになり、結果、強電回路に残存電流が無くなった状態で、雄端子２０と雌端子６０とを離脱することができる。
【００４７】
＜他の実施形態＞
本明細書で開示される技術は、上記記述及び図面によって説明した実施形態に限定されるものではなく、例えば次のような実施形態も含まれる。
（１）第１コネクタのインナハウジングを嵌合状態に保持するべく第２コネクタに設けられた係止アームは、上記実施形態に例示した一対に限らず、単一であってもよい。
（２）上記実施形態とは逆に、雌コネクタのハウジングをインナハウジングとアウタハウジングとからなる２ピースに、雄コネクタのハウジングを１ピースで形成したものであってもよい。
（３）本開示技術は、インターロック回路が配されていないコネクタについても、同様に適用することが可能である。
【符号の説明】
【００４８】
Ｃ…コネクタ
１０…雄コネクタ（第１コネクタ）
１２…インナハウジング
２０…雄端子
３０…アウタハウジング
４０…インターロック回路
４３…インターロック端子
５０…雌コネクタ（第２コネクタ）
６０…雌端子
７１…ロックアーム
８１…係止アーム
８２…係止部
８３…操作部
９０…規制板（規制部）
【図１】
2017220297.tif 000003
【図２】
2017220297.tif 000004
【図３】
2017220297.tif 000005
【図４】
2017220297.tif 000006
【図５】
2017220297.tif 000007
【図６】
2017220297.tif 000008
【図７】
2017220297.tif 000009
【図８】
2017220297.tif 000010
【図９】
2017220297.tif 000011
【図１０】
2017220297.tif 000012
【図１１】
2017220297.tif 000013